(57)【要約】【課題】高速連続製造工程でコスト安に製造できるように工夫した。【解決手段】液透過性の表面シート３と液不透過性の裏面シート２との間に吸収体４を有する使い捨て吸収性物品１において、上記表面シート３と裏面シート２とは同系色であって、この裏面シート２の幅方向の略中央位置に、裏面シート２の外側から視認できる色に着色されて、長さ方向に連続するような直線状の図柄模様７Ａ〜７Ｌが印刷されている。【選択図】  図１
2004298571.tif 000002
【特許請求の範囲】
【請求項１】
液透過性の表面シートと液不透過性の裏面シートとの間に吸収体を有する使い捨て吸収性物品において、
上記表面シートと裏面シートとは同系色であって、この裏面シートの幅方向の略中央位置に、裏面シートの外側から視認できる色に着色されて、長さ方向に連続するような直線状の図柄模様が印刷されていることを特徴とする表裏判別手段を有する使い捨て吸収性物品。
【請求項２】
上記図柄模様は、裏面シートの内面に印刷されている請求項１記載の表裏判別手段を有する使い捨て吸収性物品。
【請求項３】
上記図柄模様は、裏面シートの吸収体の存在する領域に印刷されている請求項１または２記載の表裏判別手段を有する使い捨て吸収性物品。
【請求項４】
上記図柄模様は、使い捨て吸収性物品を二つ折り若しくは三つ折りに折り畳んだ状態で、折り線近傍にかかるように存在する請求項１〜３のいずれか１項に記載の表裏判別手段を有する使い捨て吸収性物品。
【請求項５】
上記図柄模様は、インクジェットによりインラインで印刷されている請求項１〜４のいずれか１項に記載の表裏判別手段を有する使い捨て吸収性物品。
【請求項６】
上記図柄模様は、水溶性インクで印刷されている請求項１〜５のいずれか１項に記載の表裏判別手段を有する使い捨て吸収性物品。
【請求項７】
上記図柄模様は、ホットメルト接着剤で印刷されている請求項１〜５のいずれか１項に記載の表裏判別手段を有する使い捨て吸収性物品。
【請求項８】
上記図柄模様の両側に、股部を示すための股部認識模様が施されている請求項１〜７のいずれか１項に記載の表裏判別手段を有する使い捨て吸収性物品。
【発明の詳細な説明】
【０００１】
【発明の属する技術分野】
本発明は、表裏判別手段を有する使い捨て吸収性物品に関する。
【０００２】
【従来の技術】
一般に、使い捨て吸収性物品では、清潔さを強調する等の理由から表面シートと裏面シートとは同系色、特に白色であることが多いが、表裏を間違って着用するおそれがある。
【０００３】
そこで、裏面シートのみを青や緑等に着色して、表裏を間違わないようにすることが考えられるが、裏面シートとして透湿フィルムを使用すると、延伸による色ムラが起こりやすく、着色のためのマスターバッチ（樹脂）がうまく混ざらないことによって破れが生じやすくなり、コストも高くなるという問題がある。
【０００４】
そこで、前後や表裏を判別するために、動物や矢印のような大型図柄模様を裏面シートの外側から視認できるよう間欠的に印刷した使い捨て吸収性物品が提案されている（例えば、特許文献１，２参照）。
【０００５】
【特許文献１】
特開２０００−２６６号公報
【特許文献２】
特開２００２−２９１７８６号公報
【０００６】
【発明が解決しようとする課題】
しかしながら、従来では、大型の図柄模様を間欠的に印刷していたから、製造工程のスピードを抑制する必要があるので、高速連続製造工程になじみにくく、コスト高になるという問題があった。
【０００７】
本発明は、上記問題を解消するためになされたもので、高速連続製造工程でコスト安に製造できるように工夫した表裏判別手段を有する使い捨て吸収性物品を提供することを課題とするものである。
【０００８】
【課題を解決するための手段】
上記課題を解決するために、本発明は、液透過性の表面シートと液不透過性の裏面シートとの間に吸収体を有する使い捨て吸収性物品において、
上記表面シートと裏面シートとは同系色であって、この裏面シートの幅方向の略中央位置に、裏面シートの外側から視認できる色に着色されて、長さ方向に連続するような直線状の図柄模様が印刷されていることを特徴とする表裏判別手段を有する使い捨て吸収性物品を提供するものである。
【０００９】
請求項２のように、上記図柄模様は、裏面シートの内面に印刷されていることが好ましい。
【００１０】
請求項３のように、上記図柄模様は、裏面シートの吸収体の存在する領域に印刷されていることが好ましい。
【００１１】
請求項４のように、上記図柄模様は、使い捨て吸収性物品を二つ折り若しくは三つ折り畳んだ状態で、折り線近傍にかかるように存在することが好ましい。
【００１２】
請求項５のように、上記図柄模様は、インクジェットによりインラインで印刷されていることが好ましい。
【００１３】
請求項６のように、上記図柄模様は、水溶性インクで印刷されていることが好ましい。
【００１４】
請求項７のように、上記図柄模様は、ホットメルト接着剤で印刷されていることが好ましい。
【００１５】
請求項８のように、上記図柄模様の両側に、股部を示すための股部認識模様が施されていることが好ましい。
【００１６】
【発明の作用および効果】
本発明によれば、表面シートと裏面シートとは、表裏を判別しづらい同系色（例えば白色）であっても、裏面シートの幅方向の略中央位置に、裏面シートの外側から視認できる色に着色されて、長さ方向に連続するような直線状の図柄模様が印刷されているから、この着色された図柄模様は、裏面シート側であることを介護者等が容易に視認することができて、表裏を間違って着用するおそれがなくなる。
【００１７】
また、図柄模様は、単純な直線状であるから、従来のような大型の図柄模様を間欠的に印刷するのとは異なって、製造工程のスピードを抑制する必要がないので、高速連続製造工程でコスト安に製造できるようになる。
【００１８】
図柄模様を裏面シートの内面に印刷すると（請求項２）、製造工程で、図柄模様が製造装置に擦れて消えたりかすれたりしなくなるとともに、着用時に、図柄模様が衣服等に擦れて消えたりかすれたりしなくなり、衣服等に転写しなくなる。
【００１９】
図柄模様を裏面シートの吸収体の存在する領域に印刷すると（請求項３）、表面シート側から図柄模様を視認できないので、表裏を間違って判別するおそれがなくなる。
【００２０】
図柄模様を折り畳んだ状態の使い捨て吸収性物品の折り線近傍にかかるように存在させると（請求項４）、折り畳んだ状態で図柄模様を視認できるので、介護者等がパッケージから取り出して直ぐに表裏を確認することができる。
【００２１】
図柄模様をインクジェットによりインラインで印刷すると（請求項５）、同じラインにおいて、図柄模様の有無の切り替えを行う際、インクジェット印刷機のＯＮ／ＯＦＦ操作だけで済むために切り替え作業が容易になるとともに、インクの種類を変えることによって、水溶性・非水溶性を選択できたり、裏面シートの色に合わせて適切なインク色を選択できるなどの設計の自由度が大きくなる。
【００２２】
図柄模様を水溶性インクで印刷すると（請求項６）、使い捨て吸収性物品が濡れたことを検知できるインジケータとすることができ、より簡便な使い勝手を得ることができる。
【００２３】
図柄模様をホットメルト接着剤で印刷すると（請求項７）、裏面シートの接合と図柄模様の印刷とを同時に行うことができるので、取り扱いが簡便になる。
【００２４】
図柄模様の両側に、股部を示すための股部認識模様を施すと（請求項８）、着用者が着用する際に、股部認識模様で股部の位置が分かるので、付け間違えがなく、より簡便に適切な位置に使い捨て吸収性物品を装着することができる。
【００２５】
【発明の実施の形態】
以下、本発明の実施の形態を図面を参照して詳細に説明する。
【００２６】
図１は使い捨て吸収性物品１であり、（ａ）は裏面シート２側から見た展開図、（ｂ）は（ａ）のＸ−Ｘ線断面図である。
【００２７】
上記使い捨て吸収性物品１は、前部Ｐと後部Ｑとの間の股部Ｒの両側に窪み状の脚部Ｓが形成されていて、裏面シート２と表面シート３と吸収体４と立ち上がりフラップ５とで構成されている。
【００２８】
上記裏面シート２は、防水性（液不透過性）、より好ましくは、通気性と防水性を有するプラスチックフィルム、例えばＰＥ（ポリエチレン）樹脂によるフィルムで形成されている。また、外側に表面シート３と同系色（例えば白色）の不織布を貼り合わせたクロスライクフィルムも好適に用いられる。
【００２９】
上記表面シート３は、液透過性の不織布で形成されている。例えば界面活性剤で処理したＰＥ、ＰＰ（ポリプロピレン）、ＰＥＴ（ポリエチレンテレフタレート）等の疎水性合成樹脂繊維からエアースルー製法で作った不織布、熱エンボスして作った不織布、ＰＥ、ＰＰ、ＰＥＴ等の疎水性合成樹脂を押し出して熱エンボスして作ったスパンボンド不織布、メルトブロー不織布等が好適に用いられる。
【００３０】
上記裏面シート２と表面シート３とは、清潔さを強調する等の理由から同系色（例えば白色）であって、同系色であることから表裏を間違って着用するおそれがある。
【００３１】
上記吸収体４は、綿状パルプ、ティッシュペーパ、高吸水性樹脂等を砂時計形状に成形したものである。
【００３２】
上記立ち上がりフラップ５は、撥水性の不織布で形成されている。例えばＰＥ、ＰＰ、ＰＥＴ等の疎水性合成樹脂を押し出して熱エンボスして作ったスパンボンド不織布、メルトブロー不織布等が好適に用いられる。
【００３３】
上記裏面シート２の内側に吸収体４が置かれ、この吸収体４は表面シート３でカバーされて、両シート２，３の間にホットメルト接着剤等で接着固定されている。
【００３４】
上記表面シート３は裏面シート２よりも横幅が狭く形成されていて、表面シート３の両端部に重なるように立ち上がりフラップ５のサイドシール部５ａが裏面シート２の内面にホットメルト接着剤等で接着されている。
【００３５】
この立ち上がりフラップ５の立ち上がり部５ｂの先端封止部５ｃには、例えばポリウレタン樹脂製の弾性伸縮糸６が伸張状態で添設されて、この弾性伸縮位置６の収縮力によって立ち上がりフラップ５が立体的に立上がるようになる〔図１（ｂ）の状態〕。
【００３６】
上記裏面シート２の幅方向の中心線Ｙ−Ｙの近傍には、裏面シート２の外面に、外側から視認できる色（例えば青や緑等）に着色されて、長さ方向に連続するような直線状の太線形図柄模様７Ａがインクジェットや着色したホットメルト接着剤等によりインラインで印刷されている。
【００３７】
この太線形図柄模様７Ａは、使い捨て吸収性物品１の長さ方向に全長に亘って印刷されていても良いが、裏面シート２の吸収体４の存在する領域に印刷することが好ましい。
【００３８】
上記図柄模様７Ａは、図１（ｂ）に二点鎖線で示すように、裏面シート２の内面に印刷することが好ましい。
【００３９】
また、上記図柄模様７Ａは、図２（ａ）（ｂ）に示すように、使い捨て吸収性物品１を三つ折り（二つ折りも可）で折り畳んだ状態の使い捨て吸収性物品１の折り線近傍にかかるように存在させることが好ましい。
【００４０】
具体的には、使い捨て吸収性物品１を幅方向に縦折りして長さ方向に三つ折りする場合には、縦折り線Ｃ−Ｃで挟まれた領域および三つ折り線Ａ−Ａ、Ｂ−Ｂ線の近傍にかかる領域に存在させる必要がある。
【００４１】
上記のように構成した使い捨て吸収性物品１であれば、表面シート３と裏面シート２とは、表裏を判別しづらい同系色（例えば白色）であっても、裏面シート２には太線形図柄模様７Ａが印刷されているから、この着色された図柄模様７Ａは、裏面シート２側であることを介護者等が容易に視認することができて、表裏を間違って着用するおそれがなくなる。
【００４２】
また、図柄模様は、単純な直線状であるから、従来のような大型の図柄模様を間欠的に印刷するのとは異なって、製造工程のスピードを抑制する必要がないので、高速連続製造工程でコスト安に製造できるようになる。
【００４３】
さらに、図柄模様７Ａを裏面シート２の内面に印刷することにより、製造工程で、図柄模様７Ａが製造装置に擦れて消えたりかすれたりしなくなるとともに、着用時に、図柄模様７Ａが衣服等に擦れて消えたりかすれたりしなくなり、衣服等に転写しなくなる。
【００４４】
さらにまた、図柄模様７Ａを裏面シート２の吸収体４の存在する領域に印刷しているから、表面シート３側から図柄模様７Ａを視認できないので、表裏を間違って判別するおそれがなくなる。
【００４５】
また、図柄模様７Ａを折り畳んだ状態の使い捨て吸収性物品１の折り線近傍にかかるように存在させているから、折り畳んだ状態で図柄模様７Ａを視認できるので、介護者等がパッケージから取り出して直ぐに表裏を確認することができる。
【００４６】
また、図柄模様７Ａをインクジェットによりインラインで印刷しているから、同じラインにおいて、図柄模様７Ａの有無の切り替えを行う際、インクジェット印刷機のＯＮ／ＯＦＦ操作だけで済むために切り替え作業が容易になるとともに、インクの種類を変えることによって、水溶性・非水溶性を選択できたり、裏面シートの色に合わせて適切なインク色を選択できるなどの設計の自由度が大きくなる。
【００４７】
さらに、図柄模様を水溶性インクで印刷すると、使い捨て吸収性物品１が濡れたことを検知できるインジケータとすることができ、より簡便な使い勝手を得ることができる。
【００４８】
また、図柄模様７Ａをホットメルト接着剤で印刷すると、裏面シート２の接合と図柄模様７Ａの印刷とを同時に行うことができるので、取り扱いが簡便になる。
【００４９】
図３〜図６は、使い捨て吸収性物品１の図柄模様の変形例であって、図３（ａ）は、長さ方向に連続するような直線状の点線形図柄模様７Ｂ、（ｂ）は、長さ方向に連続するような直線状の×形図柄模様７Ｃ、（ｃ）は、長さ方向に連続するような直線状の○形図柄模様７Ｄである。
【００５０】
図４（ａ）は、長さ方向に連続するような直線状の横棒形図柄模様７Ｅ、（ｂ）は、長さ方向に連続するような直線状の□形図柄模様７Ｆ、（ｃ）は、長さ方向に連続するような直線状の波形図柄模様７Ｇである。
【００５１】
図５（ａ）は、長さ方向に連続するような直線状の１本の細縦線に横棒線を組み合わせた図柄模様７Ｈ、（ｂ）は、長さ方向に連続するような直線状の２本の細縦線に横棒線を組み合わせた図柄模様７Ｉ、（ｃ）は、長さ方向に連続するような直線状の２本の細縦線を組み合わせた図柄模様７Ｊである。
【００５２】
図６（ａ）は、長さ方向に連続するような直線状の３本の縦線を組み合わせた図柄模様７Ｋ、（ｂ）は、長さ方向に連続するような直線状の１本の細縦線の両側に、股部Ｒを示すための短い２本の細縦線である股部認識模様７Ｍを施した図柄模様７Ｌである。
【００５３】
この股部認識模様７Ｍを施した図柄模様７Ｌであれば、図６（ｃ）に示すように、着用者Ｍが着用する際に、股部認識模様７Ｍで股部Ｒの位置が分かるので、付け間違えがなく、より簡便に適切な位置に使い捨て吸収性物品１を装着することができる。
【図面の簡単な説明】
【図１】使い捨て吸収性物品であり、（ａ）は裏面シート側から見た展開図、（ｂ）は（ａ）のＸ−Ｘ線断面図である。
【図２】（ａ）（ｂ）は、それぞれ折り畳んだ使い捨て吸収性物品の斜視図である。
【図３】（ａ）〜（ｃ）は、それぞれ使い捨て吸収性物品の図柄模様の変形例の展開図である。
【図４】（ａ）〜（ｃ）は、それぞれ使い捨て吸収性物品の図柄模様の変形例の展開図である。
【図５】（ａ）〜（ｃ）は、それぞれ使い捨て吸収性物品の図柄模様の変形例の展開図である。
【図６】（ａ）（ｂ）は、それぞれ使い捨て吸収性物品の図柄模様の変形例の展開図、（ｃ）は（ａ）の使い捨て吸収性物品の着用時の斜視図である。
【符号の説明】
１      使い捨て吸収性物品
２      裏面シート
３      表面シート
４      吸収体
５      立ち上がりフラップ
７Ａ〜７Ｌ  図柄模様
７Ｍ    股部認識模様
【図１】
2004298571.tif 000003
【図２】
2004298571.tif 000004
【図３】
2004298571.tif 000005
【図４】
2004298571.tif 000006
【図５】
2004298571.tif 000007
【図６】
2004298571.tif 000008